(57)【特許請求の範囲】
【請求項１】
容器本体の内壁面に立設される供給リール軸及び巻取りリール軸に対して各々軸着され、互いに噛合する供給リールギア及び巻取りリールギアの供給リールギアに、スプリングを挟持しつつ先端の弾性係止片による係止によって巻戻しボタンと共に一体に保持される供給リールから未使用の転写テープをヘッドに供給すると共に、巻取りリールギアに保持される巻取りリールによりヘッドを通過した使用済みの転写テープを巻取る転写テープ供給、巻取り機構から構成される塗布具において、上記供給リールを構成するカラー部分を、円筒状としたカラー部分本体の内壁面に等間隔に複数の縦リブを形成し、この複数の縦リブ間に形成される空隙に対して、スプリングと共に巻戻しボタンの外周縁に突設する突起を挿嵌してなる塗布具の供給リール。
【発明の詳細な説明】
【０００１】
【発明の属する技術分野】
この発明は、修正用あるいは貼着用薄膜（以下、転写テープという。）を塗布するにあたり、未使用の転写テープを供給する供給リールのカラー部分の構造に関する。
【０００２】
【従来の技術】
従来、未使用の転写テープを巻回する供給リールにおいては、この供給リールによる未使用の転写テープを供給するときに回転に合わせて、使用済みの転写テープを巻取りリールに巻回、収容するために、巻取りリールの回転を行う巻取りリールギアと噛合して一体に回転する供給リールギア及び、供給リールから未使用の転写テープを供給する際、ゴミ、転写カスの付着によりテープの走行がケースの入口で妨害される等、巻き取りを阻害する現象があった場合に、緩みが生じた未使用の転写テープを再び供給リールに巻回するために、供給リールを逆回転させることができる巻戻しボタンが一体に軸着されている。
【０００３】
【発明が解決しようとする課題】
しかしながら、上記従来の塗布具において、巻取りリールギアに伝達する供給リールギア及び慣性による回転で過剰に供給された未使用の転写テープを再び供給リールに巻回させるために供給リールを逆回転させる巻戻しボタンは、供給リールを構成し、実際に未使用の転写テープが巻回されるカラー部分の上部端縁に配設されたスリットに対して、巻戻しボタンの外周縁に径方向に複数突設された突起が嵌合すると共に、カラー部分の下部端縁に配設されたスリットに対して供給リールギアの係止突部が嵌合することにより、供給リールと共に一体に軸着されるものとなるが、これら供給リールギア及び巻戻しボタンのいずれも供給リールのカラー部分に対する軸着は、供給リールギア、巻戻しボタンの突起と係止突部の供給リールのカラー部分の上下端縁に配設されたスリットに対する嵌合により行われているため、これらの嵌合が円滑に行い難く、これらの嵌合が円滑に行われないと、塗布具の組立工程において作業性が著しく低下する原因となる欠点がある。
【０００４】
そこで、この発明は上記従来のものの持つ欠点や問題を改善するものであり、塗布具の組立工程において、供給リールに対する巻戻しボタンの組付け作業を迅速且つ確実に行えるようにするものである。
【０００５】
【課題を解決するための手段】
そのために、容器本体の内壁面に立設される供給リール軸及び巻取りリール軸に対して各々軸着され、互いに噛合する供給リールギア及び巻取りリールギアの供給リールギアに、スプリングを挟持しつつ先端の弾性係止片による係止によって巻戻しボタンと共に一体に保持される供給リールから未使用の転写テープをヘッドに供給すると共に、巻取りリールギアに保持される巻取りリールによりヘッドを通過した使用済みの転写テープを巻取る転写テープ供給、巻取り機構から構成される塗布具において、上記供給リールを構成するカラー部分を、円筒状としたカラー部分本体の内壁面に等間隔に複数の縦リブを形成し、この複数の縦リブ間に形成される空隙に対して、スプリングと共に巻戻しボタンの外周縁に突設する突起を挿嵌してなるものである。
【０００６】
【発明の実施の形態】
この発明の実施にあたり、供給リールギア及び巻戻しボタンを一体に軸着する供給リールを構成するカラー部分を、円筒状としたカラー部分本体の内壁面に等間隔に複数の縦リブを形成してなるものとした上で、この複数の縦リブ間に形成される空隙に対して、スプリングと共に巻戻しボタンの外周縁に突設する複数の突起を、挿嵌するので、この供給リールを構成するカラー部分に巻戻しボタンを軸着する際には、巻戻しボタンの外周縁に突設する突起を、供給リールのカラー部分の内壁面に等間隔に複数の縦リブを形成するカラー部分に当接すると共に僅かに左右方向に回転させることで、このカラー部分のカラー部分本体の内壁面に形成される複数の縦リブ間に形成される間隙のいずれかに容易に挿嵌され、係止されるものとなるため、この巻戻しボタンの突起とカラー部分の縦リブ間に形成される間隙との挿嵌、係止によって巻戻しボタンの作動は確実に行うことができると共に、供給リールに対する巻戻しボタンの組付け工程を迅速且つ正確に行うことができるようになって、その作業性を向上させることができる。
【０００７】
【実施例】
この発明を図に示す実施例により更に説明する。（１）はこの発明の実施例である塗布具であり、この塗布具（１）は、分割自在となる容器本体（２）と、この容器本体（２）内に装填される、一方の容器本体（２’）の内壁面（３）に立設される供給リール軸（４）及び巻取りリール軸（５）に対して各々軸着され、互いに噛合する供給リールギア（７）及び巻取りリールギア（８）において、供給リールギア（７）にスプリング（９）を挟持しつつ、先端の弾性係止片の係止によって巻戻しボタン（１０）と共に一体に保持される供給リール（１１）から未使用の転写テープ（１２）をヘッド（１３）に供給すると共に、上記巻取りリールギア（８）に保持される巻取りリール（１４）によりヘッド（１３）を通過した使用済みの転写テープ（１５）を巻取る転写テープ供給、巻取り機構（６）から構成される。
【０００８】
そして、上記塗布具（１）を構成する容器本体（２）内に装填される転写テープ供給、巻取り機構（６）において、未使用の転写テープ（１２）を巻回する供給リール（１１）を、スプリング（９）を挟持しつつ巻戻しボタン（１０）と共に供給リールギア（７）に対して保持するにあたっては、この供給リール（１１）を構成するカラー部分（１６）を円筒状としたカラー部分本体（１７）の内壁面（１８）に等間隔に複数の縦リブ（１９）を形成してなるものとした上で、この複数の縦リブ（１９）間に形成される空隙（２０）に対して、スプリング（９）と共に巻戻しボタン（１０）の外周縁に突設する複数の突起（２１）を上方向より一体に挿嵌、係止させて一体に軸着してなるものである。
【０００９】
この発明の実施例である塗布具（１）は以上の構成を具えるので、巻取りリール（１４）を供給リール（１１）の回転に合わせて逆方向に回転させて及び未使用の転写テープ（１２）のヘッド（１３）への供給が終了したにも拘らず慣性により供給リール（１１）が回転してしまうことにより発生する未使用の転写テープ（１２）の緩みを解消するために、過剰に供給リール（１１）から送出された未使用の転写テープ（１２）を再び供給リール（１１）へ巻回させる巻戻しボタン（１０）を、供給リール（１１）を構成するカラー部分（１６）に対して一体に軸着する場合は、このカラー部分（１６）を円筒状としたカラー部分本体（１７）の内壁面（１８）に等間隔に複数の縦リブ（１９）を形成してなるものであるので、この複数の縦リブ（１９）を形成するカラー部分（１６）に対して、上記巻戻しボタン（１０）を当接すると共に僅かに左右方向に回転させることで、この巻戻しボタン（１０）の外周縁に突設する複数の突起（２１）が、カラー部分（１６）のカラー部分本体（１７）の内壁面（１８）に形成される複数の縦リブ（１９）間に形成される間隙（２０）のいずれかに容易に挿嵌され、一体に係止されるものとなり、この巻戻しボタン（１０）の突起（２１）と、未使用の転写テープ（１２）と共に供給リール（１１）を構成するカラー部分（１６）の縦リブ（１９）間に形成される間隙（２０）との挿嵌、係止することができ、巻戻しボタン（１０）による供給リール（１１）の巻戻し動作を確実に行うことができると共に、供給リール（１１）に対する巻戻しボタン（１０）の組付け工程を迅速且つ正確に行うことができるようになって、その作業性を向上させることができるものとなる。
【００１０】
なお、巻戻しボタン（１０）下方に形成する弾性係止片（２２）は、下端を供給リールギア（７）下面に係止するため、巻戻しボタン（１０）とスプリング（９）、カラー部分（１６）を組合せた上、巻戻しボタン（１０）を押入するだけで簡単に組みつけることができる。
【００１１】
【発明の効果】
以上のとおり、塗布具を構成する容器本体内の供給リールのカラー部分を、円筒状のカラー部分本体内壁面において、等間隔に複数の縦リブを形成するものとした上で、この供給リールのカラー部分のカラー部分本体内壁面において、等間隔に複数の縦リブ間に形成される空隙に対して、巻戻しボタンの外周縁に突設する複数の突起を挿嵌、係止して一体に軸着するものとすることで、供給リールに対する巻戻しボタンの巻戻し動作は確実に確保されつつ、供給リールのカラー部分に対する巻戻しボタンの組付け作業を迅速且つ確実に行い、その作業性を著しく向上させることができる優れた効果を有するものである。
【図面の簡単な説明】
【図１】この発明の実施例である塗布具の分解斜視図である。
【図２】この発明の実施例である塗布具内に内蔵される供給リールのカラー部分と、供給リールギア及び巻戻しボタンとの取付状態を示す横断面図である。
【図３】この発明の実施例である塗布具の縦断面図である。
【符号の説明】
１  塗布具
２  容器本体
３  内壁面
４  供給リール軸
５  巻取りリール軸
６  転写テープ供給、巻取り機構
７  供給リールギア
８  巻取りリールギア
９  スプリング
１０  巻戻しボタン
１１  供給リール
１２  未使用の転写テープ
１３  ヘッド
１４  巻取りリール
１５  使用済みの転写テープ
１６  カラー部分
１７  カラー部分本体
１８  内壁面
１９  縦リブ
２０  空隙
２１  突起
２２  弾性係止片
【図１】
0003870986.tif 000002
【図２】
0003870986.tif 000003
【図３】
0003870986.tif 000004